(57)【特許請求の範囲】
【請求項１】
陽極及び陰極を含む閃光放電管に使用される電源回路であって、
前記陽極及び前記陰極と接続されかつ前記閃光放電管を発光させるための電荷を前記閃光放電管に供給する放電コンデンサーと、
前記陽極に接続されるカソード及び前記陰極に接続されるアノードを含むことにより前記閃光放電管と直列接続されるサージ電流用ダイオードと、
前記閃光放電管と前記サージ電流用ダイオードとを直列接続する回路に前記サージ電流用ダイオードと直列接続するように接続されることにより前記サージ電流用ダイオードを保護するダイオード保護用抵抗器と、
前記放電コンデンサーと直列接続されかつ前記放電コンデンサーに印加される電圧を発生する変圧器と、
前記放電コンデンサーと前記変圧器とを直列接続する回路に前記変圧器と直列接続するように接続され、かつスイッチオン中に前記変圧器で発生した電圧が前記放電コンデンサーに印加されると共に前記放電コンデンサーが所定電圧まで充電されるとスイッチオフするスイッチング素子と、
を備える閃光放電管用電源回路。
【請求項２】
前記放電コンデンサーと前記変圧器とを直列接続する回路に前記スイッチング素子と並列接続するように接続される変圧器保護用抵抗器を備える、請求項１記載の閃光放電管用電源回路。
【請求項３】
前記放電コンデンサーと前記変圧器とを直列接続する回路に前記変圧器と直列接続するように接続される変圧器保護用抵抗器を備える、請求項１記載の閃光放電管用電源回路。
【発明の詳細な説明】
【０００１】
【発明の属する技術分野】
本発明は例えばキセノンフラッシュランプのような閃光放電管を発光させるために用いられる閃光放電管用電源回路に関する。
【０００２】
【従来の技術】
キセノンフラッシュランプに代表される閃光放電管は瞬間に高出力の白色光が得られる特長を有するため、分光分析用光源、カメラのフラッシュランプ、ストロボ用光源、高速シャッタカメラ用ランプ等に広く使われている。閃光放電管はこれを構成する陽極と陰極との間に高電圧を印加することにより、陰極から電子を放電させアーク発光を生じさせるものである。この高電圧は閃光放電管用電源回路（以下電源回路と表現する場合もある）の放電コンデンサーの放電により発生させている。
【０００３】
ところで、電源回路と閃光放電管とで構成される電気回路には残留インダクタンスが不可避的に発生する。閃光放電管には上記の通り高電圧が印加されるので、閃光放電管の発光後に残留インダクタンスに高エネルギーが蓄積される。この対策のために電源回路には陽極にカソードが接続されかつ陰極にアノードが接続されたサージ電流用ダイオードが取付けられている。残留インダクタンスに蓄積されたエネルギーをサージ電流としてサージ電流用ダイオードと閃光放電管とで構成される回路に流すことにより、上記エネルギーを消費している。
【０００４】
【発明が解決しようとする課題】
閃光放電管の中には、例えば１５０ワットのような大電力で発光させるものもあり、これによれば発光する瞬間に放電コンデンサーから閃光放電管に例えば１０００〜１５００アンペアの大電流が流れる。これに伴い残留インダクタンスに蓄積されるエネルギーも大きくなるので、サージ電流も例えば１００アンペアの大電流となり、この結果、サージ電流用ダイオードが発熱したり、破壊したり、信頼性が低下したり、故障率が増加したりする等の問題が生じる。サージ電流用ダイオードの許容電流を大きくすれば過大なサージ電流によってもサージ電流用ダイオードの発熱等を防ぐことができる。しかし、これはサージ電流用ダイオードの大型化、ひいては電源回路の大型化につながる。
【０００５】
本発明の目的はサージ電流によるサージ電流用ダイオードの発熱等を防ぐことが可能な閃光放電管用電源回路を提供することである。
【０００６】
【課題を解決するための手段】
本発明に係る閃光放電管用電源回路は、陽極及び陰極を含む閃光放電管に使用される電源回路であって、陽極及び陰極と接続されかつ閃光放電管を発光させるための電荷を閃光放電管に供給する放電コンデンサーと、陽極に接続されるカソード及び陰極に接続されるアノードを含むことにより閃光放電管と直列接続されるサージ電流用ダイオードと、閃光放電管とサージ電流用ダイオードとを直列接続する回路にサージ電流用ダイオードと直列接続するように接続されることによりサージ電流用ダイオードを保護するダイオード保護用抵抗器と、放電コンデンサーと直列接続されかつ放電コンデンサーに印加される電圧を発生する変圧器と、放電コンデンサーと変圧器とを直列接続する回路に変圧器と直列接続するように接続され、かつスイッチオン中に変圧器で発生した電圧が放電コンデンサーに印加されると共に放電コンデンサーが所定電圧まで充電されるとスイッチオフするスイッチング素子と、を備えることを特徴とする。
【０００７】
本発明に係る閃光放電管用電源回路によれば、サージ電流用ダイオードと直列接続されるダイオード保護用抵抗器を備える。よって、閃光放電管とサージ電流用ダイオードとを直列接続する回路にサージ電流が流れた場合、ダイオード保護用抵抗器にもサージ電流が流れるので、サージ電流用ダイオードに流れるサージ電流のピーク値を小さくすることができる。また、本発明に係る閃光放電管用電源回路は、放電コンデンサーと変圧器とを直列接続する回路を開閉するスイッチング素子を備えている。そして、放電コンデンサーが所定電圧（つまり閃光放電管の正常発光動作に要する電圧）まで充電されるとスイッチング素子がスイッチオフされる。このため、サージ電流発生時において放電コンデンサーと変圧器とを直列接続する回路は開ループとなるので、変圧器にサージ電流が流れるのを防ぐことができ、これにより変圧器の発熱や故障等を防ぐことができる。
【０００９】
本発明に係る閃光放電管用電源回路において、放電コンデンサーと変圧器とを直列接続する回路にスイッチング素子と並列接続するように接続される変圧器保護用抵抗器を備えるようにすることができる。この態様によれば、放電コンデンサーの充電終了から閃光放電管の発光までの期間が長くても放電コンデンサーの電圧が閃光放電管の正常発光動作に要する電圧で閃光放電管を発光させることができる。すなわち、充電終了から発光までの期間が長いと放電コンデンサーの自然放電による放電コンデンサーの電圧の低下が大きくなり、この低下した電圧で閃光放電管を発光させると発光強度が弱い異常発光となる。この態様よれば放電コンデンサーと変圧器とを直列接続する回路に変圧器保護用抵抗器が接続されているので、スイッチング素子のオフ中であっても変圧器で発生させた電圧を放電コンデンサーに印加可能となり、よって放電コンデンサーの自然放電分の電圧を補充する充電が可能となるのである。なお、この態様によれば放電コンデンサーと変圧器とを直列接続する回路はスイッチング素子がオフであっても変圧器保護用抵抗器により閉ループとなる。しかしながら、サージ電流発生時、サージ電流が変圧器保護用抵抗器に流れることにより変圧器に流れるサージ電流のピーク値を小さくできるので、閉ループであっても変圧器の発熱や故障等を防ぐことができる。
【００１０】
本発明に係る閃光放電管用電源回路において、放電コンデンサーと直列接続されかつ放電コンデンサーに印加される電圧を発生する変圧器と、放電コンデンサーと変圧器とを直列接続する回路に変圧器と直列接続するように接続される変圧器保護用抵抗器を備えるようにすることができる。この態様によれば、放電コンデンサーと変圧器とを直列接続する回路に変圧器保護用抵抗器を接続している。このため、上記回路にサージ電流が流れてもサージ電流が変圧器保護用抵抗器に流れることにより、変圧器に流れるサージ電流のピーク値を小さくできるので、変圧器の発熱や故障等を防ぐことができる。
【００１１】
【発明の実施の形態】
本発明の好適な実施形態（以下本実施形態という）について図面を用いて説明する。図面の説明において同一要素には同一符号を付すことにより、重複する説明を省略する。図１は本実施形態に係る閃光放電管用電源回路を含む閃光放電管装置１の構成を示す回路図である。
【００１２】
閃光放電管装置１は本実施形態に係る閃光放電管用電源回路３、閃光放電管５及び発光トリガー回路７を備える。閃光放電管５は例えばキセノンフラッシュランプである。閃光放電管５は円筒型のガラス容器９とこの容器９内に配置された陽極１１、陰極１３及びトリガー電極１５とを備える。ガラス容器９内にはキセノンガスが封入されている。
【００１３】
閃光放電管５のトリガー電極１５は発光トリガー回路７と接続されている。発光トリガー回路７により閃光放電管５を発光させる際のトリガー電圧がトリガー電極１５に印加される。
【００１４】
閃光放電管５の陽極１１及び陰極１３は放電コンデンサー１７と接続されている。放電コンデンサー１７が放電することにより、これに蓄積された電荷は閃光放電管５に供給され、この供給された電荷を基にして閃光放電管５が発光する。閃光放電管用電源回路３はサージ電流用ダイオード１９を備えており、サージ電流用ダイオード１９のカソードKは閃光放電管５の陽極１１と接続されかつサージ電流用ダイオード１９のアノードAはダイオード保護用抵抗器２１を介して閃光放電管５の陰極１３と接続されている。このように、閃光放電管５、サージ電流用ダイオード１９及びダイオード保護用抵抗器２１が互いに直列接続されることにより、直列回路が構成される。
【００１５】
閃光放電管装置１には残留インダクタンスが不可避的に発生する。閃光放電管５の発光により残留インダクタンスに蓄積されるエネルギーをサージ電流として閃光放電管５、サージ電流用ダイオード１９及びダイオード保護用抵抗器２１により構成される直列回路に流すことにより上記エネルギーを消費している。サージ電流用ダイオード１９とダイオード保護用抵抗器２１との直列接続が本実施形態の特徴の一つであり、サージ電流がダイオード保護用抵抗器２１に流れることによりサージ電流用ダイオード１９に流れるサージ電流のピーク値を小さくすることができる。閃光放電管５、放電コンデンサー１７、サージ電流用ダイオード１９、ダイオード保護用抵抗器２１は電線又はプリント基板の配線により相互に接続される。
【００１６】
閃光放電管５の陽極１１、サージ電流用ダイオード１９のカソード及び放電コンデンサー１７の一方電極はそれぞれ整流用ダイオード３５のカソードと接続されている。整流用ダイオード３５のアノードは閃光放電管用電源回路３の変圧器２３の二次コイル２７の一方端部と接続されており、詳しく説明すると二次コイル２７は直列接続された第１コイル部３１と第２コイル部３３とで構成され、第１コイル部３１の一方端部（つまり二次コイル２７の一方端部）と整流用ダイオード３５のアノードとが接続されている。
【００１７】
第１コイル部３１の他方端部は互いに並列接続されたスイッチング素子３７及び変圧器保護用抵抗器３９を介して整流用ダイオード４１のカソードと接続されている。整流用ダイオード４１及び前述の整流用ダイオード３５により、変圧器２３で発生した電圧による電流が一方向にのみ流れる。
【００１８】
スイッチング素子３７及び変圧器保護用抵抗器３９は本実施形態の特徴の一つであり、これらによりサージ電流発生時、変圧器２３に逆電流であるサージ電流のピーク値を小さくすることができる。スイッチング素子３７としては例えば、半導体スイッチ（サイリスタ、電界効果トランジスタ、バイポーラトランジスタ、IGBT等）がある。変圧器保護用抵抗器３９及び前述のダイオード保護用抵抗器２１としては、例えば電力用メタルクラッド巻線抵抗器があり、これは耐熱シリコンモールド（不燃性）により内部発熱の放散性に優れた小型大電力の抵抗器である。この抵抗器は例えば株式会社ピーシーエヌのカタログ（２００１年度版 Rev.1 PCN RESISTORS）に開示されている。電力用メタルクラッド巻線抵抗器によれば抵抗器で発生した熱の放散性に優れるので本実施形態の抵抗器として好適である。
【００１９】
整流用ダイオード４１のアノードは第２コイル部３３の一方端部と接続されている。第２コイル部３３の他方端部は閃光放電管５の陰極１３、ダイオード保護用抵抗器２１及び放電コンデンサー１７の他方電極とそれぞれ接続されている。
【００２０】
変圧器２３の二次コイル２７はコア２９を介して一次コイル２５と電磁的に結合されている。一次コイル２５は図示しない変圧器駆動回路と接続されている。閃光放電管５は例えば１５０ワットのような大電力で発光させるものである。このため放電コンデンサー１７の充電電圧を高電圧にする必要があるので変圧器２３で発生した高電圧により放電コンデンサー１７を充電している。
【００２１】
次に閃光放電管装置１の動作を図１〜図４により説明する。図２〜図４は本実施形態に係る閃光放電管装置の動作に関するタイムチャートである。すなわち図２は閃光放電管５の陽極１１に印加される電圧のタイムチャートであり、図３は閃光放電管５に流れる放電電流のタイムチャートであり、図４はサージ電流用ダイオード１９に流れる電流（サージ電流）のタイムチャートである。
【００２２】
図２〜図４中、縦軸のVは電圧(V)であり、縦軸のAは電流(A)であり、横軸のTは時間(μs)である。各図の時刻T1，T2，T3が閃光放電管５の発光時刻を示している。各図の時刻T1はそれぞれ同じ時刻であり、時刻T2はそれぞれ同じ時刻であり、時刻T3はそれぞれ同じ時刻である。図２に示す波形の右上方向の立ち上がり時間が放電コンデンサー１７の充電時間(CT)を示している。
【００２３】
まず、スイッチング素子３７をオン動作させて変圧器２３で発生した電圧により放電コンデンサー１７の充電時間(CT)を開始、すなわち放電コンデンサー１７に電荷の蓄積を開始する。このとき変圧器２３で変圧された電圧により発生する電流は主にスイッチング素子３７を通って放電コンデンサー１７に流れる。従って、二次コイル２７に変圧器保護用抵抗器３９が接続されていても放電コンデンサー１７を高速に充電することができる。
【００２４】
放電コンデンサー１７を定格電圧（V1）まで充電後、つまり充電時間(CT)の終了後、スイッチング素子３７をオフ動作させる。スイッチング素子３７がオフされても二次コイル２７の第１コイル部３１と第２コイル部３３とは変圧器保護用抵抗器３９を介して接続されているので以下のことが言える。放電コンデンサー１７の充電終了から閃光放電管５の発光までの期間が長いと放電コンデンサー１７の自然放電による放電コンデンサー１７の電圧の低下が大きくなり、この低下した電圧で閃光放電管５を発光させると発光強度が弱い異常発光となる。本実施形態によれば放電コンデンサー５と変圧器２３とを直列接続する回路に変圧器保護用抵抗器３９が接続されているので、スイッチング素子３７のオフ中であっても変圧器２３で発生させた電圧を放電コンデンサー１７に印加可能となり、よって放電コンデンサー１７の自然放電分の電圧を補充する充電が可能となる。
【００２５】
閃光放電管装置１の動作の説明を続ける。スイッチング素子３７がオフ状態のままで発光トリガー回路７によりトリガー電極１５にトリガー電圧を印加することにより、閃光放電管５内のキセノンガスの絶縁を破壊する。これにより、放電コンデンサー１７に蓄積されていた電荷が閃光放電管５に供給され、時刻T1において閃光放電管５が発光（アーク発光）する。
【００２６】
閃光放電管５の発光後、陽極１１側及び陰極１３側では共に電圧が０ボルトになるとともに閃光放電管装置１に存在する残留インダクタンスに蓄積されたエネルギーにより、陰極１３側の電圧が陽極１１側の電圧よりも高くなる。この状態を解消するために、この状態時に順方向となるように接続されたサージ電流用ダイオード１９を介して閃光放電管５とサージ電流用ダイオード１９とを直列接続する回路にサージ電流を流すのである。以上が発光の一サイクルであり、以後同様にして発光動作が繰り返される。
【００２７】
本実施形態では閃光放電管５を例えば１５０ワットのような大電力で発光させるので残留インダクタンスに蓄積されるエネルギーも大きくなり、これにより発生するサージ電流も例えば１００アンペアの大電流となる。本実施形態ではサージ電流用ダイオード１９と直列にダイオード保護用抵抗器２１が接続されているので、サージ電流はダイオード保護用抵抗器２１にも流れる。よって、サージ電流用ダイオード１９に流れるサージ電流のピーク値を小さくすることができるので、サージ電流用ダイオード１９の発熱や破壊等を防ぐことができる。従って、サージ電流用ダイオード１９の許容電流を大きくする必要がなくなるので、サージ電流用ダイオード１９の小型化、ひいては閃光放電管用電源回路３の小型化を図ることができる。
【００２８】
なお、ダイオード保護用抵抗器２１の抵抗値が大きすぎるとサージ電流用ダイオード１９にサージ電流を流すことができず、一方、ダイオード保護用抵抗器２１の抵抗値が小さすぎるとサージ電流によりサージ電流用ダイオード１９が発熱等する。これらを考慮してダイオード保護用抵抗器２１の抵抗値（例えば５０オーム）は決定される。
【００２９】
なお、サージ電流が変圧器２３の二次コイル２７に逆電流として流れると、サージ電流の値が大きい場合、変圧器２３が発熱することにより変圧器２３の焼損等が発生する。本実施形態によれば放電コンデンサー１７と変圧器２３とを直列接続する回路はスイッチング素子３７がオフであっても変圧器保護用抵抗器３９により閉ループとなるので、上記逆電流が流れるおそれがある。しかしながら、変圧器保護用抵抗器３９の抵抗値（例えば２００オーム）はサージ電流を流さない程度の大きさが選択されているので、上記回路が閉ループであっても変圧器２３の発熱や故障等を防ぐことができる。但し、問題が生じない程度の発熱量ならば、二次コイル２７にサージ電流を流す抵抗値を選択することも可能である。
【００３０】
ここで、本実施形態の主な効果を比較例と比較しながら説明する。まず、比較例の構成を簡単に説明する。図５は比較例に係る閃光放電管用電源回路４を含む閃光放電管装置の構成を示す回路図である。図５の閃光放電管用電源回路４が図１の閃光放電管用電源回路３と相違する点は、ダイオード保護用抵抗器２１、スイッチング素子３７及び変圧器保護用抵抗器３９を備えていないことである。
【００３１】
図６〜図９は比較例に係る閃光放電管装置の動作に関するタイムチャートである。すなわち図６は図２と対応するものであり、閃光放電管５の陽極１１に印加される電圧のタイムチャートである。図７は図３と対応するものであり、閃光放電管５に流れる放電電流のタイムチャートである。図８は図４と対応するものであり、サージ電流用ダイオード１９に流れる電流のタイムチャートである。図９は図５に示す変圧器２３の二次コイル２７に流れる電流のタイムチャートである。これらの図中、縦軸V、縦軸A、横軸T、時刻T1，T2，T3、充電時間CTの意味は図２〜図４で説明したとおりである。
【００３２】
まず、図４（本実施形態）と図８（比較例）を比較すると、図４に示すように本実施形態によればサージ電流のピーク値はA2であり、図８に示すように比較例によればサージ電流のピーク値はA3である。図４の電流値A2と図８の電流値A2は同じ値であり、図４の電流値A3と図８の電流値A3は同じ値である。このように本実施形態によればサージ電流用ダイオード１９にダイオード保護用抵抗器２１が直列接続されているので、比較例と比べてサージ電流のピーク値が小さくなっていることが分かる。
【００３３】
また、図９（比較例）に示すように、図５に示す比較例では閃光放電管５の発光後に発生するサージ電流が変圧器２３の二次コイル２７を流れている。これに対して図１に示す本実施形態ではスイッチング素子３７がオフされかつ変圧器保護用抵抗器３９の抵抗値がサージ電流を流さない程度の大きさなので、サージ電流が変圧器２３の二次コイル２７を流れるのを防止できる。なお、本実施形態ではサージ電流が二次コイル２７に流れないのでグラフによる図示は省略している。
【００３４】
また、図６（比較例）に示すように、比較例では閃光放電管５の発光後から放電コンデンサー１７の充電開始までの期間にハッチングが引かれている箇所で示すように異常電圧が発生する。これは図９で説明した変圧器２３に流れたサージ電流が原因で変圧器２３のインダクタンスにエネルギーが蓄積されることにより変圧器２３に電圧が発生し、この電圧が閃光放電管５の陽極１１に上記異常電圧として印加されたものである。閃光放電管５の発光直後は閃光放電管５内の残留イオンが多いので、陽極１１と陰極１３とに上記異常電圧が印加されると、光の強度が小さい発光である異常発光が生じる。これに対して図２（本実施形態）に示すように、本実施形態では変圧器２３にサージ電流が流れないので、上記異常電圧が生じない。この結果、異常発光の発生を防止することができる。
【００３５】
また、図３（本実施形態）と図７（比較例）を比較すると、閃光放電管５に流れる放電電流のピーク値は共に同様の値（Ａ1）でり、本実施形態によれば比較例と同様の放電電流のピーク値を得ることができる。
【００３６】
次に、本実施形態の変形例を説明する。図１に示すように本実施形態では並列接続されたスイッチング素子３７及び変圧器保護用抵抗器３９を有しているが、変圧器保護用抵抗器３９を設けない回路構成にすることもできる。すなわち、整流用ダイオード４１とスイッチング素子３７とを直列接続し、この直列接続を介して第１コイル部３１と第２コイル部３３とを接続するのである。これによれば、サージ電流発生時にスイッチング素子３７をオフすることにより、二次コイル２７にサージ電流が流れるのを防ぐことができる。この結果、変圧器２３の発熱等を防ぐことができる。
【００３７】
また、スイッチング素子３７を設けない回路構成にすることもできる。すなわち、整流用ダイオード４１と変圧器保護用抵抗器３９とを直列接続し、この直列接続を介して第１コイル部３１と第２コイル部３３とを接続するのである。これによれば、変圧器保護用抵抗器３９により二次コイル２７にサージ電流が流れるのを防ぐことができるので、変圧器２３の発熱等を防ぐことができる。
【００３８】
また、サージ電流による変圧器２３の発熱による問題が生じないならば、スイッチング素子３７及び変圧器保護用抵抗器３９のいずれも設けなくてもよい。つまり、第１コイル部３１と第２コイル部３３とが整流用ダイオード４１を介して直列接続されるのである。
【００３９】
また、スイッチング素子３７及び変圧器保護用抵抗器３９の取り付け位置としては以下の変形例がある。図１０は本実施形態に係る閃光放電管用電源回路の一変形例を含む閃光放電管装置の構成を示す回路図である。図１０の閃光放電管用電源回路３Aが図１の閃光放電管用電源回路３と相違する点は、整流用ダイオード３５を互いに並列接続されたスイッチング素子３７及び変圧器保護用抵抗器３９を介して放電コンデンサー１７、サージ電流用ダイオード１９のカソード及び閃光放電管５の陽極１１と接続するようにし、第１コイル部３１と第２コイル部３３とを整流用コンデンサー４１を介して直列接続したことである。つまり、スイッチング素子３７及び変圧器保護用抵抗器３９の並列接続回路が変圧器２３の高圧側に配置されている。
【００４０】
図１１は本実施形態に係る閃光放電管用電源回路の他の変形例を含む閃光放電管装置の構成を示す回路図である。図１１の閃光放電管用電源回路３Bが図１の閃光放電管用電源回路３と相違する点は、第２コイル部３３を互いに並列接続されたスイッチング素子３７及び変圧器保護用抵抗器３９を介して放電コンデンサー１７、ダイオード保護用抵抗器２１及び閃光放電管５の陰極１３と接続するようにし、第１コイル部３１と第２コイル部３３とを整流用コンデンサー４１を介して直列接続したことである。つまり、スイッチング素子３７及び抵抗器３９の並列接続回路が変圧器２３の低圧側に配置されている。
【００４１】
また、二次コイル２７は第１コイル部３１及び第２コイル部３３の二段構成に限らず、三段以上の構成にすることもできる。そして、一つの隣合うコイル部間にスイッチング素子３７及び変圧器保護用抵抗器３９の並列接続回路を配置することもできる。これを図１２で説明する。
【００４２】
図１２は本実施形態に係る閃光放電管用電源回路のさらに他の変形例を含む閃光放電管装置の構成を示す回路図である。図１の閃光放電管用電源回路３の二次コイル２７は第１コイル部３１と第２コイル部３３の二段構造となっている。これに対して、図１２の閃光放電管用電源回路３Cの二次コイル２７は第１コイル部３１、第２コイル部３３及び第３コイル部４３の三段構造である。詳しくは、第３コイル部４３の一方端部は整流用ダイオード３５を介して第１コイル部３１と直列接続されている。また、第３コイル部４３の他方端部は整流用ダイオード４５のアノードと接続されている。整流用ダイオード４５のカソードは放電コンデンサー１７、サージ電流用ダイオード１９のカソード及び閃光放電管５の陽極１１と接続されている。整流用ダイオード４５の機能は整流用ダイオード３５，４１と同様である。図１０から図１２に示す変形例も図１に示す閃光放電管用電源回路と同様の効果を有する。
【００４３】
【発明の効果】
本発明に係る閃光放電管用電源回路によれば、閃光放電管とサージ電流用ダイオードとダイオード保護用抵抗器とで構成される直列接続回路にサージ電流が流れるようにしているので、サージ電流用ダイオードに流れるサージ電流のピーク値を小さくすることができる。このため、閃光放電管の発光強度が高くてもサージ電流用ダイオードがサージ電流により発熱したり、破壊したり、信頼性低下したりする等を防ぐことができる。
【図面の簡単な説明】
【図１】本実施形態に係る閃光放電管用電源回路を含む閃光放電管装置の構成を示す回路図である。
【図２】本実施形態に係る閃光放電管装置の閃光放電管に印加される電圧のタイムチャートである。
【図３】本実施形態に係る閃光放電管装置の閃光放電管に流れる放電電流のタイムチャートである。
【図４】本実施形態に係る閃光放電管装置のサージ電流用ダイオードに流れる電流のタイムチャートである。
【図５】比較例に係る閃光放電管用電源回路を含む閃光放電管装置の構成を示す回路図である。
【図６】比較例に係る閃光放電管装置の閃光放電管に印加される電圧のタイムチャートである。
【図７】比較例に係る閃光放電管装置の閃光放電管に流れる放電電流のタイムチャートである。
【図８】比較例に係る閃光放電管装置のサージ電流用ダイオードに流れる電流のタイムチャートである。
【図９】比較例に係る閃光放電管装置の変圧器に流れる電流のタイムチャートである。
【図１０】本実施形態に係る閃光放電管用電源回路の一変形例を含む閃光放電管装置の構成を示す回路図である。
【図１１】本実施形態に係る閃光放電管用電源回路の他の変形例を含む閃光放電管装置の構成を示す回路図である。
【図１２】本実施形態に係る閃光放電管用電源回路のさらに他の変形例を含む閃光放電管装置の構成を示す回路図である。
【符号の説明】
１・・・閃光放電管装置、３，３A，３B，３C，４・・・閃光放電管用電源回路、５・・・閃光放電管、７・・・発光トリガー回路、９・・・ガラス容器、１１・・・陽極、１３・・・陰極、１５・・・トリガー電極、１７・・・放電コンデンサー、１９・・・サージ電流用ダイオード、２１・・・ダイオード保護用抵抗器、２３・・・変圧器、２５・・・一次コイル、２７・・・二次コイル、２９・・・コア、３１・・・第１コイル部、３３・・・第２コイル部、３５・・・整流用ダイオード、３７・・・スイッチング素子、３９・・・変圧器保護用抵抗器、４１・・・整流用ダイオード、４３・・・第３コイル部、４５・・・整流用ダイオード
【図１】
0004002090.tif 000002
【図２】
0004002090.tif 000003
【図３】
0004002090.tif 000004
【図４】
0004002090.tif 000005
【図５】
0004002090.tif 000006
【図６】
0004002090.tif 000007
【図７】
0004002090.tif 000008
【図８】
0004002090.tif 000009
【図９】
0004002090.tif 000010
【図１０】
0004002090.tif 000011
【図１１】
0004002090.tif 000012
【図１２】
0004002090.tif 000013